(57)【要約】【課題】床暖房を施工しない床と同じ高さの床に施工することができ、低コストで施工可能な温水式床暖房装置を提供する。【解決手段】温水パイプ３により床面から室内を暖房する温水循環式の温水式床暖房装置である。床下地材１の上面にパイプ収容溝２が形成され、パイプ収容溝２内に温水パイプ３が蛇行して収容される。床下地材１の上面にパイプ収容溝２を覆うように均熱板４が貼着され、床下地材１の上に床材５が敷設される。【選択図】図１
2004138312.tif 000002
【特許請求の範囲】
【請求項１】
温水パイプにより床面から室内を暖房する温水循環式の温水式床暖房装置において、
床下地材の上面にパイプ収容溝が形成され、該パイプ収容溝内に温水パイプが蛇行して収容され、該床下地材の上面に該パイプ収容溝を覆うように均熱板が貼着され、該床下地材の上に床材が敷設されることを特徴とする温水式床暖房装置。
【請求項２】
前記床下地材として、前記温水パイプの外径の３倍以上の厚さを持った構造合板が使用されることを特徴とする請求項１記載の温水式床暖房装置。
【発明の詳細な説明】
【０００１】
【発明の属する技術分野】
本発明は、温水パイプにより床面から室内を暖房する温水循環式の温水式床暖房装置に関する。
【０００２】
【従来の技術】
この種の温水式床暖房装置として、従来、床暖房パネルを床下地材と床材との間に介装する構造のものが一般に使用されている。この床暖房パネルは、基板に温水パイプ用の溝を形成し、その溝に温水パイプを埋め込むように配設し、その上面に金属箔などの均熱材を貼着して形成されていた。しかし、この種の一般的な床暖房パネルは、合板などの床下地材と床材の間に介装されて配設されるため、床暖房を敷設した部屋の床面が、床暖房を配設しない部屋の床面に比べ、床暖房パネルの厚さだけ高くなる。
【０００３】
このため、バリアフリー住宅などにおいて、各部屋の床面を均一にする必要がある場合、床暖房パネルを敷設しない部屋の床材の下側に、パッキンなどのスペーサを介在させて床面を均一にする必要があった。
【０００４】
【発明が解決しようとする課題】
さらに、従来では、基板の上に温水パイプを敷設するためのレール材を取り付け、そのレール材の溝内に温水パイプを敷設し、床材の下面にそれらのレール材を嵌め込むための収容溝を形成した構造の温水式床暖房装置が、下記特許文献１などで提案されている。
【０００５】
【特許文献１】
特開平１１−３４４２３３号公報
【０００６】
しかし、この種の温水式床暖房装置は、基板上にレール材を固定し、床材の下面には収容溝を形成するため、構造が複雑化し、製造コストが増大すると共に、そこで使用される床材も、所定の収容溝を形成した専用の床材に限定する必要があるなどの問題があった。
【０００７】
本発明は、上述の課題を解決するものであり、床暖房を施工しない床と同じ高さの床に施工することができ、低コストで施工可能な温水式床暖房装置を提供することを目的とする。
【０００８】
【課題を解決するための手段】
上記目的を達成するために、本発明の温水式床暖房装置は、温水パイプにより床面から室内を暖房する温水循環式の温水式床暖房装置において、床下地材の上面にパイプ収容溝が形成され、パイプ収容溝内に温水パイプが蛇行して収容され、床下地材の上面にパイプ収容溝を覆うように均熱板が貼着され、床下地材の上に床材が敷設されることを特徴とする。
【０００９】
ここで、上記床下地材としては、温水パイプの外径の３倍以上の厚さを持った構造合板を使用することができる。
【００１０】
【作用】
上記構成の温水式床暖房装置では、床下地材にパイプ収容溝を形成し、そのパイプ収容溝に温水パイプを埋め込み、その上に均熱板を貼着する。そして、床材は、そのような温水パイプを埋め込んだ床下地材の上に直接固定され、敷設される。このため、床暖房パネルを床材と床下地材との間に介装したときにように、床材の高さが、床暖房パネルを敷設しない場合より高くなることがないから、特に、バリアフリー住宅のように、各部屋の床の高さを段差なく揃える必要がある場合、床暖房装置を設置しない部屋の床面をパッキンなどのスペーサを介装して床面の高さを揃える必要がなくなる。また、床下地材には、構造合板を使用することができ、温水パイプの外径の３倍以上の厚さを有した構造合板を使用すれば、パイプ収容溝を形成しても、充分な強度を持たせることができるから、床暖房装置を低コストで簡単に施工することが可能となる。
【００１１】
【発明の実施の形態】
以下、本発明の一実施形態を図面に基づいて説明する。図１は温水式床暖房装置の断面図を示し、図２は床下地材１の平面図を示し、図３はその断面図を示している。本温水式床暖房装置は、床下地材１の上面にパイプ収容溝２が形成され、パイプ収容溝２内に温水パイプ３が蛇行して収容され、床下地材１の上面にパイプ収容溝２を覆うように均熱板４が貼着され、床下地材１の上に床材５が固定されて構成される。
【００１２】
床下地材１としては、例えば、厚さ２８ｍｍの構造合板を使用し、その上面に、図２のようなパイプ収容溝２を形成する。パイプ収容溝２は、温水パイプ３を収容可能な幅と深さを有し、蛇行して温水パイプを敷設できるように、形成される。
【００１３】
例えば、直径８ｍｍの温水パイプを使用する場合、幅が約８．８ｍｍ、深さが約８．８ｍｍの溝を形成し、パイプ収容溝２のパターンは、図２に示すように、多数の平行溝を一定間隔で形成し、隣接する平行溝の各所を半円状の円弧溝で接続するように、形成する。
【００１４】
厚さ２８ｍｍの構造合板の場合、深さ約８．８ｍｍの溝を多数形成したとしても、その溝以外の厚さは約１９．２ｍｍあり、床下地材１として充分な強度を持たせることができる。床下地材の厚さがそこに形成されるパイプ収容溝の深さの３倍以上あれば、住宅の床下地材として使用可能である。パイプ収容溝２は、施工の前に予め工場などで、所定形状の構造合板の上面に形成しておくことができる。
【００１５】
温水式床暖房装置を住宅などの床下に施工する場合、先ず、パイプ収容溝２を形成した床下地材１を根太６の上に、必要な枚数を並べて釘などで固定する。図２に示すようなパターンのパイプ収容溝２を有した床下地材１を並べて配置することにより、各床下地材１のパイプ収容溝２が相互に接続され、それらのパイプ収容溝２を使用して温水パイプ３を蛇行して敷設することが可能な状態となる。
【００１６】
そして、根太６上に固定したそれらの床下地材１のパイプ収容溝２内に、温水パイプ３を蛇行する状態で、埋め込んでいく。温水パイプ３としては、例えば架橋ポリエチレン製の外径８．８ｍｍの合成樹脂パイプを使用することができる。
【００１７】
次に、温水パイプ３を収容したパイプ収容溝２の上を覆うように、床下地材１の上面に、均熱板４を貼着する。均熱板４としては、例えば帯状に形成されたアルミ箔の裏面に粘着層を設けた金属製粘着テープを使用することができ、適当な幅の粘着テープ状の均熱板４を、床下地材１のパイプ収容溝２を上から覆うように貼り付ける。
【００１８】
そして、床下地材１の上に、床材５を順に並べ、釘、接着剤などで固定する。温水パイプ３の端部には、温水の循環用パイプが接続され、ボイラーなどの温水供給源から温水が温水パイプに循環供給され、床暖房が行われる。
【００１９】
このように、上記温水式床暖房装置は、床下地材１の上に直接床材５を固定することができるから、従来の床暖房パネルを床材と床下地材との間に介装したときのように、床材５の高さが、床暖房パネルを敷設しない部屋より高くなることがない。
【００２０】
したがって、バリアフリー住宅のように、各部屋の床の高さを段差なく揃える必要がある場合、床暖房装置を設置しない部屋の床面をパッキンなどのスペーサを介装して床面の高さを、床暖房装置を設置した部屋の床面に揃える必要がなく、住宅建設の総合的なコストを抑えることができる。
【００２１】
また、本温水式床暖房装置は、床下地材１にパイプ収容溝２を形成してそこに温水パイプ３を埋め込むため、床暖房パネル用の特別な基板が不用となって構造が簡単となり、製造コストを抑えることができる。
【００２２】
【発明の効果】
以上説明したように、本発明の温水式床暖房装置によれば、床下地材の上に直接床材を固定することができるから、従来の床暖房パネルを床材と床下地材との間に介装したときにように、床材の高さが、床暖房パネルを敷設しない部屋より高くなることがなく、バリアフリー住宅のように、各部屋の床の高さを段差なく揃える必要がある場合、床暖房装置を設置しない部屋の床面をパッキンなどのスペーサを介装して床面の高さを、床暖房装置を設置した部屋の床面に揃える必要がなく、住宅建設の総合的なコストを抑えることができる。また、本温水式床暖房装置は、床下地材にパイプ収容溝を形成してそこに温水パイプを埋め込むため、床暖房パネル用の特別な基板が不用となって構造が簡単となり、製造コストを抑えることができる。
【図面の簡単な説明】
【図１】本発明の一実施形態を示す温水式床暖房装置の断面図である。
【図２】床下地材の平面図である。
【図３】床下地材の拡大断面図である。
【図４】温水パイプを収容した状態の床下地材の拡大断面図である。
【図５】均熱板を床下地材の上に貼着した状態の拡大断面図である。
【符号の説明】
１‐床下地材
２−パイプ収容溝
３‐温水パイプ
４−均熱板
５‐床材
【図１】
2004138312.tif 000003
【図２】
2004138312.tif 000004
【図３】
2004138312.tif 000005
【図４】
2004138312.tif 000006
【図５】
2004138312.tif 000007